【事件の表示】
　特願２００９−１７１４４３号「遊技機」拒絶査定不服審判事件〔平成２３年２月１０日出願公開、特開２０１１−２４６８４号〕について、次のとおり審決する。
【結　論】
　本件審判の請求は、成り立たない。
【理　由】
１　手続の経緯の概要
　本願は、平成２１年７月２２日の出願であって、平成２５年４月１９日付けで拒絶の理由が通知され、同年６月２４日に意見書及び手続補正書が提出されたところ、平成２６年２月１８日付けで拒絶査定がなされ（発送日：同年２月２５日）、それに対し、同年５月２３日に拒絶査定不服審判の請求がなされると同時に手続補正書が提出され、当審にてさらに、平成２７年６月１１日付けで拒絶理由を通知したところ、同年７月１６日に意見書及び手続補正書が提出されたものである。
　
２　本願発明
　本願の請求項１に係る発明（以下「本願発明」という。）は、平成２７年７月１６日付け手続補正書により補正された特許請求の範囲の請求項１に記載された事項により特定される次のとおりのものである。
「外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備え、
　前記操作手段は、前記保持状態にある前記保持手段を前記非保持状態へと状態変化させる際に操作される操作部を備え、
　特定方向に並ぶようにして設けられた前記操作手段のうち、第１操作手段の操作部と第２操作手段の操作部とは、前記特定方向に対して交差する方向において位置がずれ、
　前記第１操作手段には、第１の色の前記第１操作手段と、前記第１の色とは異なる第２の色の前記第１操作手段とがあり、
　前記第２操作手段には、第３の色の前記第２操作手段と、前記第３の色とは異なる第４の色の前記第２操作手段とがあり、
　各前記操作手段は、対応する前記保持手段と連結されているとともに、当該連結されている保持手段と同一色に構成され、
　前記操作手段のうち前記本体部の内側に位置する部位、及び、前記保持手段は、透明、又は、半透明の前記本体部を介して視認可能に構成されていることを特徴とする遊技機。」
　
３　刊行物の記載
（１）当審における拒絶の理由に刊行物１として提示された特開平６−１４２２８４号公報（以下「刊行物１」という。）には、図面とともに以下の事項が記載されている（下線は審決で付した。以下同じ。）。
　ア　「【特許請求の範囲】
【請求項１】  入出力線束が集束状態で挿通されて拘持されるリード線拘持部を有する基板ボックス内にはこの基板ボックスに分離可能に結合された中継回路基板を装入してこの中継回路基板の中継回路には、ヒューズホルダ内に封入されたヒューズが途中に接続された電源コードと、中央制御基板に接続される制御基板用接続コードと、電源と前記中央制御基板とを接続する電源回路をオンオフする電源スイッチと、
横方向へ配列され
複数対の外部接続端子
　
　イ　「【産業上の利用分野】この発明は
パチンコ機
　
　ウ　「【０００３】
【発明が解決しようとする課題】本発明はパチンコ機における電気配線の取扱いを簡便化および合理化することを課題とするものである。」
　
　エ　「【０００８】
入出力線用中継ユニットＵの基板ボックス１は合成樹脂材でケース状に成形され
　
　オ　「【００２０】中継回路基板２の前面には先端付近が基板ボックス１の左右ターミナル窓３から露出された左プッシュターミナル１７Ａおよび右プッシュターミナル１７Ｂが取付けられている。
【００２１】左プッシュターミナル１７Ａの器体１７ａＡには中継回路２ａに接続された上下２対の第１外部接続端子１８Ａおよび第２外部接続端子１８Ｂと、両第１外部接続端子１８Ａにそれぞれ対向して前後方向への傾動可能に設置された上下２対のプッシュボタン１９Ａとが組付けられるとともに、器体１７ａＡには各プッシュボタン１９Ａの傾動動作によって開閉される上下２対のリード線挿通口２０Ａが各プッシュボタン１９Ａに対向して開設されている。
【００２２】
右プッシュターミナル１７Ｂ
には中継回路２ａに接続された上下４対の第３，第４，第５，第６外部接続端子１８Ｃ，１８Ｄ，１８Ｅ，１８Ｆと
各対の第３〜第６外部接続端子１８Ｃ〜１８Ｆにそれぞれ対向して
設置された上下４対のプッシュボタン１９Ｂとが組付けられる
器体１７ａＢには各プッシュボタン１９Ｂの傾動動作
上下４対のリード線挿通口２０Ｂが各プッシュボタン１９Ｂにそれぞれ対向して開設されている
【００２３】各対の
プッシュボタン
１９Ｂは押圧時に個々に後方へ傾動して解放時に前方へ自動的に復帰傾動する
各対のプッシュボタン
１９Ｂはそれぞれ異色に着色されて左から順に
赤色，緑色，黒色，桃色の６色に色分けされている
【００２４】
プッシュボタン
１９Ｂを押圧してリード線挿通口
２０Ｂを開口した状態でリード線の裸線部をリード線挿通口
２０Ｂ内に差込んでプッシュボタン
１９Ｂを解放すると
リード線の裸線部が外部接続端子１８Ａ（１８Ｂ〜１８Ｆ）に押し付けられてプッシュボタン
１９Ｂとの間に挟持され、リード線が外部端子１８Ａ（１８Ｂ〜１８Ｆ）に結線される
【００２５】中継回路基板２の前側上部には
第１〜第６外部接続端子１８Ａ〜１８Ｇが横２列に配列されて
外部接続端子列２２が設置されている。
【０
パチンコ機外に配線されて電圧，信号等を伝送するパチンコ機外配線用の入出力線
【００２７】
第３外部接続端子１８Ｃには
リード線が接続され
第４外部接続端子１８Ｄには
リード線が接続され
第５外部接続端子１８Ｅには
リード線が接続され
第６外部接続端子１８Ｆには
リード線が接続される
【００２８】基板ボックス１の前壁板１ａの傾斜部６に貼着された横長状のシール２６の上端には各プッシュボタン１９Ａ〜１９Ｆの６色と同色の６色と、電源スイッチ１７に対応する白色との７色に色分けされて各上接続端子１８Ａ〜１８Ｆおよび電源スイッチ１７の下方に各プッシュボタン１９Ａ，１９Ｂの各色の配列順の通りに配列された色分け部２６ａが印刷されるとともに、シール２６の色分け部２６ａの各色の下方には第１〜第６外部接続端子１８Ａ〜１８Ｆにそれぞれ対応して「当り表示灯出力（電圧）」，「賞品球切れ情報出力（接点）」，金枠開放情報（電圧）」，「発射装置制御入力（接点）」，「貸し球情報出力（接点）」，「賞品球情報出力（接点）」と、電源スイッチ１７に対応して「電源スイッチＯＦＦ／ＯＮ」とが印刷されている。」
　
　カ　「【００４１】このため、
パチンコ機外の配線とパチンコ機内の配線とを接続する配線作業
を簡便化および合理化することができる
　
　キ　上記オの記載及び【図１】〜【図３】の図示内容によると、
上下４対のリード線挿通口２０Ｂに挿通され
上下４対の第３〜第６外部接続端子１８Ｃ〜１８Ｆに接続されるリード線が
パチンコ機外配線用の入出力線である
　
　ク　上記オの「【００２２】・・・器体１７ａＢには各プッシュボタン１９Ｂの
傾動動作
プッシュボタン
１９Ｂは押圧時に
傾動して
リード線の裸線部が外部接続端子
に押し付けられてプッシュボタン
１９Ｂとの間に挟持され
各プッシュボタン１９Ｂは、「傾動動作するように押圧操作される部分」と、「外部接続端子との間にリード線の裸線部を挟持する部分」とから構成される
　
　ケ　上記オの記載及び【図１】〜【図３】の図示内容によると、
上下４対のプッシュボタン１９Ｂが、横２列に配列されて設置されている
　
　コ　上記ア〜カの記載事項、及び上記キ〜ケの認定事項を総合すると、刊行物１には、次の発明が記載されていると認められる（以下「刊行物発明１」という。）。
「上下４対のプッシュボタン１９Ｂにそれぞれ対向し、パチンコ機外配線用の入出力線を挿通する、上下４対のリード線挿通口２０Ｂが開設されている器体１７ａＢと、
　上下４対のプッシュボタン１９Ｂにそれぞれ対向し、電圧，信号等を伝送するパチンコ機外配線用の入出力線に接続される上下４対の第３〜第６外部接続端子１８Ｃ〜１８Ｆと
　を具備し、
　上下４対のプッシュボタン１９Ｂは、個々に、押圧時に後方へ傾動し、解放時に前方へ自動的に復帰傾動し、押圧してリード線挿通口を開口した状態でリード線の裸線部をリード線挿通口内に差込み、解放すると、リード線の裸線部が外部接続端子に押し付けられてプッシュボタン１９Ｂとの間に挟持されて外部接続端子に結線され、
　各プッシュボタン１９Ｂは、「傾動動作するように押圧操作される部分」と、「外部接続端子との間にリード線の裸線部を挟持する部分」とから構成され、
　上下４対の第３〜第６外部接続端子１８Ｃ〜１８Ｆと、上下４対のプッシュボタン１９Ｂとが組付けられた右プッシュターミナル１７Ｂを備え、
　上下４対のプッシュボタン１９Ｂは、横２列に配列されて設置され、
　上下４対のプッシュボタン１９Ｂはそれぞれ異色に着色されて左から順に赤色、緑色、黒色、桃色の４色に色分けされている
　パチンコ機。」
　
（２）同じく、当審における拒絶の理由に刊行物２として提示された特開２００６−１６１１４号公報（以下「刊行物２」という。）には、図面とともに以下の事項が記載されている（下線は審決で付した。以下同じ。）。
　
　ア　「【特許請求の範囲】
【請求項１】物品を左右方向に並べて収納可能な棚部を有し、前記棚部の前側に前記物品の出し入れ口を有する収納棚と、
　前記
収納棚の前記出し入れ口近傍に左右方向に配設された複数の操作部
　前記各操作部の選択操作により前記棚部に収納された各物品のなかから前記操作された操作部に対応する物品を前記出し入れ口の側に押出す物品押出手段と
を具備し
　前記
各操作部は、それぞれ隣接する他の操作部に対して上下方向にずれて配置されている
装置
　
　イ　「【００３４】この場合において、本実施の形態では、各操作レバー１５の操作部１５ａを透明部材で形成しているので、点灯あるいは点滅しているランプ１８に対応して設けられた操作レバー１５の操作部１５ａが光る。そこで郵便局員は、この光っている操作部１５ａを押し込み操作する。すると、この操作部１５ａに対応した押出レバー１６が回転動作して、この押出レバー１６に係止凸部１３ａが係合している無線タグ付容器１３、つまりは無線タグ機能を利用して検索された無線タグ付容器１３が出し入れ口から前方に押出されるので、容易に収納棚１０から取り出すことができる。
【００３５】しかも、本実施の形態では、
各操作レバー１５の操作部１５ａが、それぞれ隣接する他の操作部１５ａに対して上下方向にずれて配置されている
操作性が良好である
　
　ウ　上記ア〜イの記載事項及び【図３】の図示内容から、
各操作レバー１５が左右方向に配設され
　上記ア〜イの記載事項及び上記ウの認定事項を総合すると、刊行物２には、次の発明が記載されていると認められる（以下「刊行物発明２」という。）。
「収納棚の前記出し入れ口近傍に左右方向に配設された複数の操作レバー１５を備え、
　各操作レバー１５の操作部１５ａは、それぞれ隣接する他の操作部１５ａに対して上下方向にずれて配置されているので、操作性が良好である
　装置。」
　
４　対比
　本願発明と刊行物発明１とを対比する。
　ア　刊行物発明１における「上下４対のプッシュボタン１９Ｂにそれぞれ対向し、パチンコ機外配線用の入出力線を挿通する、上下４対のリード線挿通口２０Ｂが開設されている器体１７ａＢ」と、本願発明における「外部機器からの配線が差し込まれる差込み部を備えた本体部」とを対比する。
　
　刊行物発明１における「パチンコ機外配線用の入出力線」、「上下４対のリード線挿通口２０Ｂ」は、それぞれ、本願発明における「外部機器からの配線」、「配線が差し込まれる差込み部」に相当する。
　
　したがって、刊行物発明１における「器体１７ａＢ」は、本願発明における「本体部」に相当する。
　
　イ　刊行物発明１における「上下４対のプッシュボタン１９Ｂにそれぞれ対向し、電圧，信号等を伝送するパチンコ機外配線用の入出力線に接続される上下４対の第３〜第６外部接続端子１８Ｃ〜１８Ｆ」と、本願発明における「差込み部に対応させて設けられ、所定の電気信号を外部機器からの配線に伝える端子部」とを対比する。
　
　刊行物発明１において、「上下４対の第３〜第６外部接続端子１８Ｃ〜１８Ｆ」は、「上下４対のリード線挿通口２０Ｂ」と共に、「上下４対のプッシュボタン１９Ｂにそれぞれ対向」するものであるから、各外部接続端子と各リード線挿通口とは、対応して設置されるものである。
　したがって、刊行物発明１における「上下４対の第３〜第６外部接続端子１８Ｃ〜１８Ｆ」は、本願発明における「端子部」と同様に、「差込み部に対応させて設けられ」るものである。
　そして、刊行物発明１における「電圧，信号等」は、本願発明における「所定の電気信号」に相当することから、刊行物発明１における「電圧，信号等を伝送するパチンコ機外配線用の入出力線に接続される」ことは、本願発明における「所定の電気信号を外部機器からの配線に伝える」ことに相当する。
　
　ゆえに、刊行物発明１における「上下４対の第３〜第６外部接続端子１８Ｃ〜１８Ｆ」は、本願発明における「端子部」に相当する。
　
　ウ　刊行物発明１における「個々に、押圧時に後方へ傾動し、解放時に前方へ自動的に復帰傾動し、押圧してリード線挿通口を開口した状態でリード線の裸線部をリード線挿通口内に差込み、解放すると、リード線の裸線部が外部接続端子に押し付けられてプッシュボタン１９Ｂとの間に挟持されて外部接続端子に結線され」る「上下４対のプッシュボタン１９Ｂ」と、本願発明の「本体部に対して変位可能であり、差込み部に差し込まれた配線を端子部に接触させた状態で保持可能な保持状態と、差込み部に対する配線の抜き差しを許容する非保持状態とに状態変化可能な保持手段」とを対比する。
　
　刊行物発明１によれば、各プッシュボタン１９Ｂは、「傾動動作するように押圧操作される部分」と、「外部接続端子との間にリード線の裸線部を挟持する部分」とから構成されるものである。
　そして、「上下４対のプッシュボタン１９Ｂ」が、外部接続端子とリード線の裸線部との電気的接続を図るために、「個々に、押圧時に後方へ傾動し、解放時に前方へ自動的に復帰傾動」するものであるから、外部接続端子とリード線の裸線部との電気的接続させる機能を有する「外部接続端子との間にリード線の裸線部を挟持する部分」も、プッシュボタン１９Ｂの動作に倣って、器体１７ａＢに対して、リード線の裸線部を差込み可能にする後方位置と、リード線の裸線部を挟持する前方位置との間を変位可能であることは、当業者にとって自明である。
　したがって、刊行物発明１の「外部接続端子との間にリード線の裸線部を挟持する部分」は、本願発明の「本体部に対して変位可能であ」る「保持手段」に相当する。
　また、刊行物発明１の「リード線の裸線部が外部接続端子に押し付けられて挟持され」た状態は、「リード線の裸線部」が、「リード線挿通口」から器体１７ａＢ内に挿通され、外部接続端子に押し付けられ、挟持されることにより電気的に接続された状態に保持されることであるから、本願発明の「差込み部に差し込まれた配線を端子部に接触させた状態で保持可能な保持状態」に相当する。
　また、刊行物発明１の「リード線挿通口を開口した状態」は、「リード線の裸線部をリード線挿通口内に」差込み、あるいは、引き抜き可能な状態であるから、本願発明の「差込み部に対する配線の抜き差しを許容する非保持状態」に相当する。
　さらに、刊行物発明１の「外部接続端子との間にリード線の裸線部を挟持する部分」は、上記したように、リード線の裸線部の挟持状態と、リード線の裸線部を差込み、あるいは、引き抜き可能な状態との間を変化可能であることから、本願発明の「保持状態」と、「非保持状態との間を状態変化可能な保持手段」に相当する。
　
　ゆえに、刊行物発明１の「上下４対のプッシュボタン１９Ｂ」を構成する「外部接続端子との間にリード線の裸線部を挟持する部分」は、本願発明の「保持手段」に相当する。
　
　エ　刊行物発明１における「上下４対のプッシュボタン１９Ｂ」を構成する「外部接続端子との間にリード線の裸線部を挟持する部分」は、上記ウにおいて検討したように、「保持状態」と「非保持状態」との間を状態変化するものである。
　一方、刊行物発明１において、「上下４対のプッシュボタン１９Ｂ」を構成する「傾動動作するように押圧操作される部分」は、「外部接続端子との間にリード線の裸線部を挟持する部分」と一体に形成されるものであるから、「外部接続端子との間にリード線の裸線部を挟持する部分」が「保持状態」と「非保持状態」との間を、「傾動動作するように押圧操作される部分」の操作によって変化することは、当業者にとって自明である。
　また、刊行物発明１は、「上下４対のプッシュボタン１９Ｂ」は、全体が「異色に着色されて左から順に赤色，緑色，黒色，桃色の４色に色分けされている」ものであり、リード線はプッシュボタン１９Ｂとの間に挟持されるから、プッシュボタン１９Ｂを構成する「傾動動作するように押圧操作される部分」と、「外部接続端子との間にリード線の裸線部を挟持する部分」とは、同色である。
　
　したがって、刊行物発明１における「上下４対のプッシュボタン１９Ｂ」を構成する「傾動動作するように押圧操作される部分」は、本願発明における「保持状態にある保持手段を非保持状態へと状態変化させることのできる操作手段」に相当すると共に、「保持状態にある保持手段を非保持状態へと状態変化させる際に操作される操作部」にも相当し、さらに、「対応する保持手段と連結されているとともに、当該連結されている保持手段と同一色に構成され」ることにも相当する。
　
　オ　刊行物発明１における「上下４対の第３〜第６外部接続端子１８Ｃ〜１８Ｆと、上下４対のプッシュボタン１９Ｂとが組付けられた右プッシュターミナル１７Ｂ」と、本願発明における「端子部、保持手段、及び操作手段が複数設けられた外部出力手段」とを対比する。
　
　刊行物発明１における「上下４対の第３〜第６外部接続端子１８Ｃ〜１８Ｆ」は、上記イにおいて検討したように本願発明における「端子部」に相当する。
　そして、刊行物発明における「プッシュボタン１９Ｂ」は、「傾動動作するように押圧操作される部分」と、「外部接続端子との間にリード線の裸線部を挟持する部分」とから構成されるものであって、上記ウ、エにおいて検討したことからみて、本願発明の「保持手段」と「操作手段」とを併せたものに相当する。
　
　したがって、刊行物発明１の「右プッシュターミナル１７Ｂ」は、本願発明の「外部出力手段」に相当する。
　
　カ　刊行物発明１における「横２列に配列されて設置され」た「上下４対のプッシュボタン１９Ｂ」と、本願発明における「特定方向に並ぶようにして設けられた操作手段」とを対比する。
　
　刊行物発明１における「横２列」の列方向は、本願発明における「特定方向」に相当する。
　
　したがって、刊行物発明１における「上下４対のプッシュボタン１９Ｂ」と、本願発明における「操作手段」とは、「操作手段は、特定方向に並ぶようにして設けられ」ることで共通する。
　
　キ　刊行物発明１における「上下４対のプッシュボタン１９Ｂはそれぞれ異色に着色されて左から順に赤色、緑色、黒色、桃色の４色に色分けされている」ことと、本願発明における「第１操作手段には、第１の色の第１操作手段と、第１の色とは異なる第２の色の第１操作手段とがあり、第２操作手段には、第３の色の第２操作手段と、第３の色とは異なる第４の色の第２操作手段とがあ」ることとを対比する。
　
　刊行物発明１において、上下４対のプッシュボタン１９Ｂは、それぞれが異色に着色されて、左から順に赤色，緑色，黒色，桃色の４色に色分けされていることから、プッシュボタン１９Ｂを構成する「傾動動作するように押圧操作される部分」も同様に、それぞれが異色に着色されているものである。
　一方、本願発明においては、「第１の色」と「第２の色」とは異なる色であり、また、「第３の色」と「第４の色」とは異なる色であると定義されている。さらに、第１〜第４の色と区別されていることみて、本願発明において、第１〜第４の色は、いずれも異なる色であるといえる。
　
　したがって、刊行物発明１における上下４対のプッシュボタン１９Ｂを構成する「傾動動作するように押圧操作される部分」と、本願発明の「操作部」とは、「操作部の色は、色分けされる」点で共通する。
　
　ク　上記ア〜キより、前者と後者とは、
「外部機器からの配線が差し込まれる差込み部を備えた本体部と、
　前記差込み部に対応させて設けられ、所定の電気信号を前記外部機器からの配線に伝える端子部と、
　前記本体部に対して変位可能であり、前記差込み部に差し込まれた配線を前記端子部に接触させた状態で保持可能な保持状態と、前記差込み部に対する配線の抜き差しを許容する非保持状態とに状態変化可能な保持手段と、
　前記保持状態にある前記保持手段を前記非保持状態へと状態変化させることのできる操作手段とを具備し、
　前記端子部、前記保持手段、及び前記操作手段が複数設けられた外部出力手段を備え、
　前記操作手段は、前記保持状態にある前記保持手段を前記非保持状態へと状態変化させる際に操作される操作部を備え、
　前記操作手段は、特定方向に並ぶようにして設けられ、
　前記操作部の色は、色分けされ、
　各前記操作手段は、対応する前記保持手段と連結されているとともに、当該連結されている保持手段と同一色に構成されている遊技機。」
の点で一致し、以下の点で相違する。
　
［相違点１］
　特定方向に並ぶようにして設けられた操作手段に関して、
　本願発明は、第１操作手段の操作部と第２操作手段の操作部とは、特定方向に対して交差する方向において位置がずれ、第１操作手段には、第１の色の第１操作手段と、第１の色とは異なる第２の色の第１操作手段とがあり、第２操作手段には、第３の色の第２操作手段と、第３の色とは異なる第４の色の第２操作手段とがあるのに対して、
　刊行物発明１は、上下４対のプッシュボタン１９Ｂを構成する「傾動動作するように押圧操作される部分」が、それぞれ異色に着色されて左から順に赤色、緑色、黒色、桃色の４色に色分けされているが、本願発明の上記構成を具備しない。
　
［相違点２］
　本願発明は、操作手段のうち本体部の内側に位置する部位、及び、保持手段は、透明、又は、半透明の本体部を介して視認可能に構成されているのに対して、刊行物発明１は、そのような特定がなされていない点。
　
５　当審の判断
（１）相違点１について
　上記相違点１について検討する。
　刊行物発明２は、操作性を良好とするために、左右方向（本願発明の「特定方向」に相当する。）に配設された複数の操作レバー１５（本願発明の「操作手段」に相当する。）に関して、隣接する操作レバー１５間において、操作部１５ａ（本願発明の「操作手段」に相当する。）を、左右方向に対して上下方向（本願発明の「特定方向に対して交差する方向」に相当する。）にずらせて配置させたものである。
　
　そして、刊行物１には、「入出力線用中継ユニット」が、パチンコ機外の配線とパチンコ機内の配線とを接続する配線作業を簡便化および合理化できるという効果（前記３（１）カを参照。）を奏することが記載されていることから、刊行物発明１も同様の効果を奏するものといえる。
　また、プッシュボタン１９Ｂの操作性を向上させることにより、配線作業を簡便化および合理化するという効果が奏されることは、当業者にとって自明である。
　
　したがって、刊行物発明１と刊行物発明２とは、特定方向に並ぶように設けられた操作手段を有する装置である点で共通すると共に、操作手段の操作性を向上させるという共通の効果を奏するものである。
　
　これらのことからみて、刊行物発明１において、プッシュボタン１９Ｂの操作性を向上させるために刊行物発明２に倣って、上下４対のプッシュボタン１９Ｂを構成する、特定方向に並ぶようにして設けられた「傾動動作するように押圧操作される部分」について、隣接する「傾動動作するように押圧操作される部分」の間で、操作部を特定方向に対して交差する方向において位置がずれるように形成することは、当業者が容易になし得たものである。
　そして、その際に、刊行物発明１は、各対のプッシュボタン１９Ｂが、それぞれ異色に着色されて、左から順に赤色，緑色，黒色，桃色の４色に色分けされていることから、刊行物発明１に刊行物発明２を適用したものにおいても、列方向に対して交差する方向において、それぞれ、位置がずれるように設置された「傾動動作するように押圧操作される部分」の操作部についても、異色に着色され、色分けされたものとなり、前記「４　対比」キにおいて検討したことからみて、本願発明の「第１操作手段には、第１の色の第１操作手段と、第１の色とは異なる第２の色の第１操作手段とがあり、第２操作手段には、第３の色の第２操作手段と、第３の色とは異なる第４の色の第２操作手段とがある」という条件を満たしたものとなっている。
　
（２）相違点２について
　上記相違点２について検討する。
　上記（１）において検討したように、刊行物１には、パチンコ機外の配線とパチンコ機内の配線とを接続する配線作業を簡便化および合理化することができるという効果を奏することについて記載されている。
　そして、コネクタの技術分野において、誤結線を防止し、配線接続作業の効率化を図るために、コネクタ本体を透明な材料により構成し、端子と配線との接続状態を視認可能とすることは、本願出願前に周知の技術事項である（例えば、特開２００５−２１６５４８号公報の【０００８】〜【０００９】、【００４３】〜【００４４】を参照。）。
　また、刊行物発明１は、「各対のプッシュボタン１９Ｂはそれぞれ異色に着色されて左から順に赤色，緑色，黒色，桃色の４色に色分けされている」ものであるから、各対のプッシュボタン１９Ｂを構成する「傾動動作するように押圧操作される部分」と、「外部接続端子との間にリード線の裸線部を挟持する部分」とは、同色とされるものである。
　したがって、刊行物発明１において、配線接続作業の効率化を図るために、上記周知の技術事項を適用して、器体１７ａＢを透明な材料により形成し、上記相違点２に係る本願発明の構成を採用することは当業者が容易になし得たものである。
　
（３）小括
　上記（１）〜（２）において検討したように、本願発明は、当業者が刊行物発明１、刊行物発明２、及び、周知の技術事項に基づいて容易に発明をすることができたものである。
　また、本願発明により奏される効果は、当業者が、刊行物発明１、刊行物発明２、及び、周知の技術事項から予測し得る効果の範囲内のものであって、格別のものではない。
　
（４）請求人の主張について
　請求人は、平成２７年７月１６日の意見書において、「本願発明１では、操作手段のうち本体部の内側に位置する部位、及び、保持手段が、透明、又は、半透明の本体部を介して、視認可能とされることで、「操作手段及び保持手段に着色が施されていること」を、最大限に、配線の接続作業性の向上に生かすことができるといった相乗的な作業効果が奏されるのである。」（第３頁第１６〜１９行）と主張する。
　しかしながら、この点については、上記（２）において検討したように、刊行物発明１に周知の技術事項を適用して、器体１７ａＢを透明な材料により形成したものは、着色された各プッシュボタン１９Ｂについて、透明な器体１７ａＢを通して器体１７ａＢの内側に位置するプッシュボタン１９Ｂの着色部分を視認可能となることは明らかであるから、刊行物発明１においても、請求人が平成２７年７月１６日の意見書において主張する効果と同様の効果を奏することになる。
　したがって、請求人の上記意見書における主張を採用することはできない。
　
６　むすび
　以上のとおりであるから、本願発明は、特許法第２９条第２項の規定により特許を受けることができない。
　したがって、本願は他の請求項について検討するまでもなく拒絶すべきものである。
　
　よって、結論のとおり審決する。